(57)【要約】      （修正有）【課題】壁装用コーナー材を壁の角部に対して簡単かつ正確に位置決めすることが可能で、かつ角部の塗装やクロスが剥がれた場合でも美観性を損なうことがない壁装用コーナー材を提供する。【解決手段】壁材の縁面に添設される一対の取付部と、前記壁材の角部に取り付けられる定規部１２を備えた壁装用コーナー材１０において、前記取付部には透明性を有する目視部１４が設けられ、前記目視部は前記壁装用コーナー材を前記壁材の角部に取り付けた場合に前記壁材の接合箇所に対応する位置に所定の幅をもって設けられたことを特徴とする。【選択図】図１
0003203923.tif 000002
【実用新案登録請求の範囲】
【請求項１】
壁材の縁面に添設される一対の取付部と、前記壁材の角部に取り付けられる定規部を備えた壁装用コーナー材において、前記一対の取付部の一方もしくは両方に設けられた透明性を有する目視部が設けられ、前記目視部は前記壁装用コーナー材を前記壁材の角部に取り付けた場合に前記壁材の接合箇所に対応する位置に所定の幅をもって設けられたことを特徴とする壁装用コーナー材。
【請求項２】
前記目視部には罫線が設けられ、前記罫線は前記定規部の前記角部に相当する位置を基準位置として０ｍｍとした場合に幅方向９．５ｍｍの位置または／および幅方向１２．５ｍｍの位置に設けられていることを特徴とする請求項１記載の壁装用コーナー材。
【請求項３】
前記目視部は、前記定規部の前記角部に相当する位置を基準位置として０ｍｍとした場合に幅方向約９ｍｍの位置から約１３ｍｍの位置の間隔の幅で設けられていることを特徴とする請求項１または２記載の壁装用コーナー材。
【請求項４】
前記目視部は、前記基準位置を０ｍｍとした場合に幅方向約９ｍｍの位置から約１３ｍｍの位置を跨いで設けられていることを特徴とする請求項２記載の壁装用コーナー材。
【請求項５】
前記定規部は透明性を有する部材で形成されていることを特徴とする請求項１から４のいずれか一項記載の壁装用コーナー材。
【請求項６】
前記定規部の材質は、前記目視部の材質よりも軟質な素材で形成されていることを特徴とする請求項１から５のいずれか一項記載の壁装用コーナー材。
【請求項７】
前記壁装用コーナー材は、前記壁装用コーナー材の取付面に備えられた接着剤層と、前記接着剤層に着脱自在に設けられた剥離紙を備え、前記定規部の前記角部に相当する位置を基準位置として０ｍｍとした場合に幅方向９．５ｍｍの位置もしくは幅方向１２．５ｍｍｍの位置で２つに分割されていることを特徴とする請求項１から６のいずれか一項記載の壁装用コーナー材。
【考案の詳細な説明】
【技術分野】
【０００１】
本考案は、クロスなどの壁装材を壁面に貼り付けて仕上げるクロス仕上げ工事において、壁の角部を綺麗仕上げる目的で壁下地に貼り付けて用いる場合や、左官仕上げ工事において、塗り壁の角部を綺麗に仕上げる目的、また、端部起し等、壁の端部を綺麗に仕上げる目的でモルタル等の塗り壁装材に埋め込んで用いる壁装用コーナー材（壁装用コーナー材）に関する。
【背景技術】
【０００２】
この種の壁装用コーナー材は、建造物の出隅壁を形成する壁角部縁面に添設される取付部と、壁角部から張り出される円弧形状の定規部を有し、前記定規部の頭頂箇所を規準にしてモルタル等の塗り壁材を塗布することにより厚み出しと角出しを行ない、前記塗り壁材の乾燥固化後、その表面に吹き付け塗装を行なっている。上記頭頂箇所の表面（頭頂面）は上記塗布された塗り壁材表面より露出されて角出しと角部の補強とが図られ、露出された前記頭頂箇所の表面は吹き付け塗装により塗り壁材表面から連続する塗膜で覆われ隠蔽される。前記定規部は、張り出し、突出した形状のものもある。
【０００３】
従来技術として、壁の角部に円弧形状を形成する壁装用コーナー材として次のものが開示されている。
特許文献１には、丸みを帯びた美麗なものとするためのコーナー材に関するもので、幅方向の中央部に縦方向の中心線に沿って折り曲げ可能な蝶番部を設け、該蝶番部の左右両側にそれぞれ所定幅のプレートを一体に設けたコーナー材であって、前記蝶番部には、軟質の筋と硬質の筋とが複数条交互に形成されていることを特徴とするコーナー材（請求項１）や、左右のプレートの裏面側に接着剤層が形成されているコーナー材が開示されている（請求項３）。
特許文献２には、壁下地などの出隅部や入隅部に所望の曲面を画一的に得られ、安全で美麗な外観に仕上げられるようにするものであり、隅角部に固定される長尺のコーナーテープ１１において、隅角に固定される直線状の隅角相当部１２と、隅角の両側に固定され複数の貫通穴３１を有する板状の平板部１３を幅方向に配設する。これら左右一対の平板部１３は隅角相当部１２に対して、隅角相当部１２および平板部１３よりも柔軟で変形容易な材料からなるヒンジ部１４で一体形成して、平板部１３同士が同一平面上に並んだ平らな形状とする。隅角相当部１２における固定時に表面側に現れる面に、平板部１３における固定時に表面側に現れる面よりも突出して幅方向に湾曲する外側Ｒ面部２１を形成する。
【先行技術文献】
【特許文献】
【０００４】
【特許文献１】特開２００８−０５７２４８号公報
【特許文献２】特開２０１５−１２４５９０号公報
【考案の概要】
【考案が解決しようとする課題】
【０００５】
ところで、壁装用コーナー材の前記蝶番部や前記ヒンジ部が円弧形状である場合、壁の角部が直角の形状であるものや面取りされている場合があるため、壁の角部に対して、正確に前記蝶番部や前記ヒンジ部を配置して壁装用コーナー材を取り付けることが困難で、壁の縁面の左右のうちのいずれかに傾いて取り付けられてしまうことが多い。そして、さらに壁装用コーナー材の取付部等に剥離紙付きの接着部材が貼着されているものでは（特許文献１の請求項３を参照）、壁装用コーナー材を壁の角部に対して位置決めしてからその状態を維持したまま剥離紙を剥がそうとすると、せっかく位置決めした壁装用コーナー材が移動してしまい、壁の角部に正確に円弧形状を形成することができなくなってしまう。
また壁の角部周辺に正確に位置決めするための罫線等の印を設けた壁装用コーナー材は、前記壁の角部と罫線等の印を重ね合わせて位置決めを行うものであるが、壁材上の塗装やクロスは、特に壁の角部において接触や衝突等によって剥がれ易いため、その際に壁装用コーナー材が表面に露出し、壁装用コーナー材の中心部近辺や角部に取り付ける箇所に罫線等の印が設けられていると、印が表面に露出し、美観性を損なう恐れがある。
【０００６】
そこで本考案の目的は、壁装用コーナー材を壁の角部に対して簡単かつ正確に位置決めすることが可能で、かつ角部の塗装やクロスが剥がれた場合でも美観性を損なうことがない壁装用コーナー材を提供することを目的とする。
【課題を解決するための手段】
【０００７】
上述の問題点を解決するために、本考案者は室内の壁や天井等に使用される建築材料であって塗装やクロス張り仕上げの下地材として使用されている壁材Ｍ（図６、図７）の厚みＭＴが通常９．５ｍｍもしくは１２．５ｍｍであることに着目し、前記壁材同士の接合箇所である接合線Ｓを基準として壁装用コーナー材を正確に位置決めすることを考案した。
具体的には、壁装用コーナー材を前記壁材の角部Ｐに取り付けた場合、壁装用コーナー材が前記接合線Ｓに接触する周辺を透明な部材で形成し、かつ前記接合線Ｓと透明性を有する素材で形成されている目視部との端部や、前記目視部上の罫線とを位置合わせすることにより、作業者が前記壁装用コーナー材を取り付けた状態でも前記壁材の接合箇所を目視し、位置合わせすることができるようにしたものである。
【０００８】
ここで「基準位置」とは、壁装用コーナー材を壁材の角部に取り付ける際に、前記壁装用コーナー材の角部の頂点に相当する位置である。図面上は点線Ｃで示され、本実施の形態では、壁装用コーナー材の短手方向の中心線で、定規部の短手方向の中心線であるが、壁装用コーナー材が壁の角部の頂点に相当する位置を基準として非対称である場合を考慮し、基準位置と記載する。
【０００９】
本考案の壁装用コーナー材は、壁材の縁面に添設される一対の取付部と、前記壁材の角部に取り付けられる定規部を備えた壁装用コーナー材において、前記一対の取付部の一方もしくは両方に設けられた透明性を有する目視部が設けられ、前記目視部は前記壁装用コーナー材を前記壁材の角部に取り付けた場合に前記壁材の接合箇所に対応する位置に所定の幅をもって設けられたことを特徴とする。
本考案によれば、前記目視部が透明性を有する素材で形成され、前記目視部は前記壁装用コーナー材を前記壁材の角部に取り付けた場合に前記壁材の接合箇所に対応する位置に所定の幅をもって設けられているため、前記目視部を通して壁材の接合箇所を確認でき、前記壁材の接合箇所と前記目視部の端部とを近づけて平行にすることで、簡単かつ正確に前記壁装用コーナー材の位置合わせを行うことが可能となる。
また本考案によれば、前記目視部が前記一対の取付部の両方に設けられている場合は、前記壁材の接合線Ｓ,Ｓ１,Ｓ２が壁の縁面Ｑ１,Ｑ２のどちらにあっても前記壁装用コーナー材の向きを考慮することなく取り付けられる。また、前記目視部が前記一対の取付部の一方のみに設けられている場合は、前記壁装用コーナー材を取り付ける際に、前記壁材の接合線Ｓ,Ｓ１,Ｓ２に位置を確認し、前記接合線Ｓ,Ｓ１,Ｓ２がある壁の縁面Ｑ１,Ｑ２側に前記目視部が設けられているほうの取付部を装着する必要があるため、前記壁装用コーナー材の向きを考慮する必要があるが、目視部がひとつであるため材料費を抑えることができる。前記目視部を前記一対の取付部の一方のみに設けるか、両方に設けるかは、用途や使用方法によって適宜選択可能である。
【００１０】
本考案の壁装用コーナー材は、前記目視部は前記定規部の前記角部に相当する位置を基準位置として０ｍｍとした場合に幅方向約９ｍｍの位置から約１３ｍｍの位置の間隔の幅で設けられていることを特徴とする。
本考案によれば、壁材Ｍの厚みが通常９．５ｍｍもしくは１２．５ｍｍであるため、前記壁材の接合箇所（接合線Ｓ，Ｓ１，Ｓ２）と一致する箇所（前記壁装用コーナー材の基準位置を０ｍｍとした場合に幅方向９．５ｍｍの位置または／および幅方向１２．５ｍｍの位置）に罫線を設け、作業者が前記壁装用コーナー材を取り付けた状態でも前記壁材の接合箇所を目視し、前記接合箇所と前記罫線を近づけて重ね合せ、正確かつ簡単に位置合わせすることが可能となる。
【００１１】
本考案の壁装用コーナー材は、前記目視部は前記基準位置を０ｍｍとした場合に幅方向約９ｍｍの位置から約１３ｍｍの位置を跨いで設けられていることを特徴とする。
本考案によれば、塗装やクロス張り仕上げの下地材として使用されている壁材Ｍ（図６、図７）の厚みＭＴが通常９．５ｍｍもしくは１２．５ｍｍであるため、前記目視部を前記壁装用コーナー材の基準位置を基準として幅方向約９ｍｍの位置から約１３ｍｍの位置の間隔の幅で設けることで、前記壁材Ｍの厚みＭＴが９．５ｍｍや１２．５ｍｍの場合でも目視部を通して接合線Ｓ,Ｓ１,Ｓ２を確認し、前記壁材の接合線Ｓ，Ｓ１，Ｓ２と前記目視部の端部とを近づけて平行にすることで、簡単かつ正確に前記壁装用コーナー材の位置合わせを行うことが可能となる。
【００１２】
本考案の壁装用コーナー材は、前記目視部は前記壁装用コーナー材の基準位置を０ｍｍとした場合に幅方向約９ｍｍの位置から約１３ｍｍの位置を跨いで設けられていることを特徴とする。
本考案によれば、塗装やクロス張り仕上げの下地材として使用されている壁材Ｍ（図６、図７）の厚みＭＴが通常９．５ｍｍもしくは１２．５ｍｍであるため、前記目視部を前記壁装用コーナー材の基準位置を基準として幅方向約９ｍｍの位置から約１３ｍｍの位置を跨いで設けることにより、前記壁材Ｍの厚みＭＴが９．５ｍｍや１２．５ｍｍの場合でも目視部を通して接合線Ｓ,Ｓ１,Ｓ２を確認し、前記目視部上の罫線を使用して位置合わせを行うことが可能となる。
【００１３】
本考案の壁装用コーナー材は、前記定規部が透明性を有する部材で形成されていることを特徴とする。
本考案によれば、前記定規部が透明性を有する部材で形成されているため、前記壁装用コーナー材を前記角部Ｐ１,Ｐ２に取り付けた場合でも、前記定規部を通して壁の角部Ｐ１，Ｐ２の位置を確認して位置合わせを行うことが可能となり、目視部を通しての接合線Ｓ,Ｓ１,Ｓ２の位置合わせ作業と併用して、より正確に壁装用コーナー材を壁の角部に取り付けることが可能となる。
【００１４】
本考案の壁装用コーナー材は、前記定規部の材質が前記目視部の材質よりも軟質な素材で形成されていることを特徴とする。
本考案によれば、前記目視部の材質が前記定規部の材質よりも軟質な素材で形成されているため、前記定規部の基準位置Ｃを中心として簡単に折り曲げることが可能となり、仕上げ工事において前記壁装用コーナー材がより扱いやすくなる。
【００１５】
本考案の壁装用コーナー材は、前記壁装用コーナー材の取付面に備えられた接着剤層と、前記接着剤層に着脱自在に設けられた剥離紙を備え、前記定規部の前記角部に相当する位置を基準位置として０ｍｍとした場合に幅方向９．５ｍｍの位置もしくは幅方向１２．５ｍｍｍの位置で２つに分割されていることを特徴とする。
本考案によれば、前記剥離紙は、前記壁装用コーナー材の基準位置を０ｍｍとした場合に幅方向９．５ｍｍの位置および幅方向１２．５ｍｍの位置において分割可能な剥離紙が設けられているため、塗装やクロス張り仕上げの下地材として使用されている壁材Ｍにおいて、前記接合線Ｓを基準として前記接合線Ｓと前記剥離紙の端部を合わせることによって、壁装用コーナー材を正確に位置決めすることが可能となる。
また本考案によれば、前記剥離紙の分割箇所が前記壁装用コーナー材の基準位置を０ｍｍとした場合に幅方向９．５ｍｍの位置および幅方向１２．５ｍｍの位置にあるため、壁材の厚みが９．５ｍｍの場合や１２．５ｍｍのように異なる場合でも、前記壁装用コーナー材を適用することが可能となる。
【考案の効果】
【００１６】
本考案によれば、前記目視部が透明性を有する素材で形成され、目視部の端部と前記壁材の接合箇所（接合線Ｓ,Ｓ１,Ｓ２）とを近づけて平行にして位置を合わせることで、前記壁材のコーナー材を正確な位置合わせを行うことが可能となる。
また本考案によれば、前記目視部が透明性を有する素材で形成され、かつ前記目視部に前記壁材の接合箇所（接合線Ｓ,Ｓ１,Ｓ２）と位置合わせを行うための罫線が設けられているため、前記目視部を通して接合箇所と罫線を重ね合わせて、正確な位置合わせを行うことが可能となる。
また本考案によれば、壁の角部の塗装やクロスが接触や衝突等によって剥がれた場合でも、罫線が角部から離れた位置にあるため表面に露出することがない。
さらに本考案によれば、壁装用コーナー材の定規部も透明性を有する素材で形成することが可能であり、前記定規部を通して壁の角部Ｐ１，Ｐ２の位置を確認して位置合わせを行うことが可能となり、目視部を通しての接合線Ｓ,Ｓ１,Ｓ２の位置合わせ作業と併用して、より正確に壁装用コーナー材を壁の角部に取り付けることが可能となる。
【図面の簡単な説明】
【００１７】
【図１】本考案の第１の実施形態の壁装用コーナー材１０を示す斜視図である。
【図２】上記実施形態の壁装用コーナー材１０を示す正面図である。
【図３】上記実施形態の壁装用コーナー材１０のＡ−Ａ断面図である。
【図４】上記実施形態の壁装用コーナー材１０を幅Ｄ１の厚さをもつ壁材の角部Ｐ１に適用した場合の断面図である。
【図５】上記実施形態の壁装用コーナー材１０を幅Ｄ２の厚さをもつ壁材の角部Ｐ２に適用した場合の断面図である。
【図６】壁材Ｍの角部の側面図である。
【図７】壁材Ｍの角部の側面図である。
【図８】上記実施形態の上記実施形態の壁装用コーナー材１０を幅Ｄ１の厚さをもつ壁材の角部Ｐ１に適用した場合の側面図である。
【図９】上記実施形態の上記実施形態の壁装用コーナー材１０を幅Ｄ２の厚さをもつ壁材の角部Ｐ２に適用した場合の側面図である。
【図１０】本考案の第１の実施形態の壁装用コーナー材１０の定規部３２のその他の例である。
【考案を実施するための形態】
【００１８】
以下、本考案を実施するための一形態について図面を引用しながら説明する。
【００１９】
（第１の実施の形態）
図１は、本考案の第１の実施形態の壁装用コーナー材１０を示す斜視図であり、図２は、上記実施形態の壁装用コーナー材１０を示す正面図である。図３は、上記実施形態の壁装用コーナー材１０のＡ−Ａ断面図である。
【００２０】
本実施の形態の壁装用コーナー材１０は、クロスなどの壁装材を壁面に貼り付けて仕上げるクロス仕上げ工事、左官仕上げ工事またはペンキ工事において、壁の角部を綺麗に仕上げる目的で使用されるコーナー材において、壁の角部に正確に位置決めして貼り付け可能な部材であり、壁の縁面Ｑ１，Ｑ２に添設される一対の取付部１１,１１と、壁の角部Ｐ１，Ｐ２に取り付けられる定規部１２と、前記一対の取付部１１,１１には背面側に取り付けられた接着部材１３２を備える。前記壁装用コーナー材１０はロール状に捲回でき、所定の長さで引き出して適宜切断し、使用することができる（図１）。
【００２１】
前記一対の取付部１１,１１は、前記壁の縁面Ｑ１，Ｑ２に取り付けるための長尺の形状の部材であり、前記定規部１２の両端にそれぞれ設けられ、一対の中心取付部１３ａ，１３ａと、壁の縁面Ｑ１，Ｑ２に添設され前記壁装用コーナー材１０の端部に設けられた一対の端部取付部１３ｂ，１３ｂと、前記中心取付部１３ａと前記端部取付部１３ｂの間に設けられた一対の目視部１４，１４とから構成される。
前記中心取付部１３ａと前記目視部１４と前記端部取付部１３ｂは、前記壁装用コーナー材１０の中心部（前記定規部１２の端部）から前記中心取付部１３ａ、前記目視部１４、前記端部取付部１３ｂの順に取り付けられ、前記中心取付部１３ａ、前記目視部１４、前記端部取付部１３ｂの接着箇所は段差のないなだらかな連続した形状となる。
前記目視部１４は、前記一対の取付部１１,１１の両方に取り付けられていてもよいし、一方のみに取り付けられていてもよい。前記目視部１４が前記一対の取付部１１,１１の一方のみに取り付けられている場合は、前記目視部１４が取り付けられていない他方の前記目視部１４の領域は、前記目視部１４がない領域分を前記端部取付部１３ｂと同じ素材で形成し、前記一対の取付部１１,１１の形状を前記基準位置Ｃを基準として線対称の形状とする。
【００２２】
前記中心取付部１３ａは、一端は前記定規部１２に、他端は前記目視部１４に取り付けられ、前記定規部１２から前記目視部１４に向かってその厚みが徐々に薄くなるように形成されている。
前記端部取付部１３ｂは、一端は前記目視部１４に取り付けられ、前記目視部１４から端部に向かってその厚みが徐々に薄くなるように形成されている。
前記一対の取付部１１，１１には、塗り壁材やパテが入り込むための複数の円形状の貫通穴３ａの列が形成され、前記貫通穴３ａは前記取付部１１の長手方向に沿って間隔をもって複数形成される。本実施の形態の貫通穴３ａは、直径約４ｍｍで、前記貫通穴３ａの中心から隣の貫通穴３ａの中心までの間隔は約７ｍｍで、列数が１列もしくは２列で、列と列との間隔は約６ｍｍ〜８ｍｍである。列数は３列以上でもよい。また前記貫通穴３ａは、楕円形、正方形、長方形、多角形等種々選択可能である。前記貫通穴３ａのサイズや間隔、列数は前記取付部１１の強度や、壁の縁面Ｑ１，Ｑ２への固定度合いを考慮し、適宜選択可能である。前記貫通穴３ａはパンチング等で形成する。
前記中心取付部１３ａは、幅１３ａｈが約８ｍｍ、前記定規部１２に取り付けられる一端での厚みは約０．５ｍｍ、前記目視部１４に取り付けられる他端での厚みは約０．４５ｍｍである。
前記端部取付部１３ｂは、幅１３ｂｈが約１１ｍｍ、前記目視部１４に取り付けられる一端での厚みは約０．４ｍｍ、他端での厚みは約０．２５ｍｍである。この厚みが大き過ぎると他の部分に比べて仕上げ表面が盛りあがり、逆に薄すぎると強度が不十分となる。厚みが徐々に薄くなることによって、前記端部取付部１３ｂの他端部と縁面Ｑ１，Ｑ２との間に大きな段差が生じず、仕上げ後の表面に筋目等が生じない。
【００２３】
図４は、上記実施形態の壁装用コーナー材１０を幅Ｄ１の厚さをもつ壁材の角部Ｐ１に適用した場合の断面図であり、図５は、上記実施形態の壁装用コーナー材１０を幅Ｄ２の厚さをもつ壁材の角部Ｐ２に適用した場合の断面図である。図８は、上記実施形態の上記実施形態の壁装用コーナー材１０を幅Ｄ１の厚さをもつ壁材の角部Ｐ１に適用した場合の側面図であり、図９は、上記実施形態の上記実施形態の壁装用コーナー材１０を幅Ｄ２の厚さをもつ壁材の角部Ｐ２に適用した場合の側面図である。
前記一対の目視部１４，１４は、前記壁装用コーナー材を前記壁材の角部に取り付けた場合に壁材の接合箇所を覆う位置に設けられ、塗装やクロス張り仕上げの下地材として使用されている壁材Ｍ同士の接合箇所である接合線Ｓ，Ｓ１，Ｓ２（図４〜図７）を前記壁装用コーナー材１０の上から目視するためのものであり、透明性を有する部材で形成され、前記目視部１４の表面には前記壁装用コーナー材１０を前記壁材の角部Ｐ１，Ｐ２に取り付けた場合に前記壁材の接合箇所と一致する位置に設けられた２本の罫線１４ａ,１４ｂが設けられている。
前記一対の目視部１４は、一端は前記中心取付部１３ａに、他端は前記端部取付部１３ｂに取り付けられ、前記中心取付部１３ａから前記端部取付部１３ｂに向かってその厚みが徐々に薄くなるように形成されている。
前記目視部１４上に設けられた罫線１４ａ，１４ｂは、前記壁装用コーナー材１０の長手方向に平行に設けられた線であり、前記壁装用コーナー材１０の基準位置Ｃに近い前記罫線１４ａは、前記基準位置Ｃを０ｍｍとした場合に９．５ｍｍの位置に設けられ、前記壁装用コーナー材１０の基準位置Ｃから遠い前記罫線１４ｂは、前記基準位置Ｃを０ｍｍとした場合に１２．５ｍｍの位置に設けられる。これは、壁材Ｍの厚みＤ１，Ｄ２が通常９．５ｍｍもしくは１２．５ｍｍであるためである。
前記罫線１４ａ，１４ｂは、実線でも点線でも一点鎖線でも二点鎖線でもよく、太さや色は適宜選択可能である。
前記目視部１４は透明性を有する素材で形成され、前記目視部１４の材質はＡＳ樹脂などのスチレン系の透明樹脂、ＰＥＴ、ポリ塩化ビニル、アクリル樹脂、ポリカーボネート樹脂等の透明性のある材質が選択でき、前記目視部１４は、前記定規部１２よりも硬質な素材で形成されている。。前記目視部１４は、無色透明、有色透明または半透明でもよく、前記目視部１４の上から前記壁材Ｍ同士の接合箇所である接合線Ｓ，Ｓ１，Ｓ２を目視できればよい。
前記目視部１４は、幅１４ｈが約４ｍｍ、前記中心取付部１３ａに取り付けられる一端での厚みは約０．４５ｍｍ、前記端部取付部１３ｂに取り付けられる他端での厚みは約０．４ｍｍである。
前記目視部１４は、前記壁装用コーナー材１０の基準位置Ｃ（図２）を０ｍｍとした場合に幅方向約９ｍｍの位置から約１３ｍｍの位置の間に幅約４ｍｍで設けられている。このように目視部１４の位置を設定すると、壁材の幅Ｄ１が９．５ｍｍの場合（図４）、前記壁装用コーナー材１０を壁材の角部Ｐ１に取り付けると壁材の接合線Ｓ１が前記目視部１４の一端周辺に目視部１４を通して目視することが可能となり、前記目視部１４から前記接合線Ｓ１を確認し、前記接合線Ｓ１と前記罫線１４ａとを近づけて重ね合わせることにより簡単に位置合わせすることが可能となる。また、壁材の幅Ｄ２が１２．５ｍｍの場合（図５）も同様に、前記壁装用コーナー材１０を壁材の角部Ｐ２に取り付けると壁材の接合線Ｓ２が前記目視部１４の他端周辺に目視部１４を通して目視することが可能となり、前記目視部１４から前記接合線Ｓ２を確認し、前記接合線Ｓ２と前記罫線１４ｂとを近づけて重ね合わせることにより、簡単に位置合わせすることが可能となる。
よって、壁材の基準の厚さである９．５ｍｍと１２．５ｍｍ両方において、位置合わせ可能な壁装用コーナー材を提供することが可能となる。
前記目視部１４の幅は罫線１４ａ，１４ｂが前記目視部１４上に設けることができれば幅が広くても狭くてもよい。また一対の取付部１１，１１全体が透明性を有する部材で形成されていてもよい。
【００２４】
前記中心取付部１３ａ、前記端部取付部１３ｂおよび前記目視部１４の幅や厚みは前記壁装用コーナー材１０の強度や、縁面Ｑ１，Ｑ２への固定度合い等を考慮し、適宜選択可能である。
【００２５】
また前記一対の取付部１１，１１には接着部材１３２が取り付けられている。前記接着部材１３２は、壁の縁面Ｑ１，Ｑ２と前記一対の取付部１１，１１を接着できる部材であればよく、例えば離型紙付きの接着剤や両面テープ等で構成される。
接着部材１３２は、前記壁装用コーナー材１０の背面（壁の角部への取付面）の前記貫通穴３ａを除く箇所に設けられる。前記貫通穴３ａの除く箇所に接着部材１３２を設けることによって、前記壁装用コーナー材１０を取り付けて塗装を行った際に、塗り壁材が前記壁装用コーナー材１０に入りこみ、塗り壁材の剥離や欠け落ちを防止することが可能となる。
前記接着部材１３２は、接着剤層と、前記接着剤層に着脱自在に設けられた剥離紙を備え、前記剥離紙は前記壁装用コーナー材の基準位置を０ｍｍとした場合に幅方向９．５ｍｍの位置もしくは幅方向１２．５ｍｍｍの位置で２つに分割されていてもよい。
前記剥離紙は、前記壁装用コーナー材の基準位置を０ｍｍとした場合に幅方向９．５ｍｍの位置および幅方向１２．５ｍｍの位置において分割可能な剥離紙が設けられているため、塗装やクロス張り仕上げの下地材として使用されている壁材Ｍにおいて、前記接合線Ｓを基準として前記接合線Ｓと前記剥離紙の端部を合わせることによって、壁装用コーナー材を正確に位置決めすることも可能となる。
【００２６】
前記定規部１２は、壁の角部Ｐ１，Ｐ２の頂点部分に取り付けられ、塗り壁材もしくはクロスを取り付けた際になだらかな湾曲したＲ形状を形成するために円弧形状をなすものであり、正面（塗り壁材、パテもしくはクロスを取り付ける側の面）と背面（壁側に取り付ける面）の断面はともに基準位置が壁材Ｍから上方に突出したなだらかな円弧形状をなし、断面形状は基準位置を基準として線対称の形状をなす。
前記定規部１２は、端部がそれぞれ前記中心取付部１３ａ，１３ａに取り付けられ、前記壁装用コーナー材１０を折り曲げ易いように、前記定規部１２の端部の厚さよりも前記定規部１２の基準位置の厚さのほうが薄く形成され、前記定規部１２の基準位置から前記中心取付部１３ａ，１３ａに向かってその厚みが徐々に厚くなるように形成されている。
前記定規部１２は透明性を有する素材で形成され、前記定規部１２の材質はＡＳ樹脂などのスチレン系の透明樹脂、ＰＥＴ、ポリ塩化ビニル、アクリル樹脂、ポリカーボネート樹脂、ゴム等の透明性のある材質が選択できる。前記定規部１２は、前記目視部１４よりも軟質の素材で形成されている。前記目視部１４は、無色透明、有色透明または半透明でもよく、前記定規１２の上から前記壁材Ｍの角部を目視できればよい。
このように前記定規部１２を前記目視部１４よりも軟質な材質とすることによって、前記定規部１２の基準位置Ｃを中心として簡単に折り曲げることが可能となり、仕上げ工事において前記壁装用コーナー材１０を扱いやすくなる。
前記定規部１２は、幅１２ｈが約２．０ｍｍで、前記定規部１２両端の厚みは約０．５ｍｍ、前記定規部１２の基準位置の厚みは約０．２５ｍｍである。
【００２７】
前記一対の中心取付部１３ａ，１３ａ、前記一対の端部取付部１３ｂ，１３ｂ、前記定規部１２は、正面（塗り壁材、パテもしくはクロスを取り付ける側の面）に凹凸が形成されていてもよい。凹凸は連続した凹凸形状、連続した三角形状または波形等でも良い。正面が凹凸になっていることにより、塗り壁材、パテまたはクロスが食いつき易いという効果がある。
【００２８】
前記壁装用コーナー材１０を壁に取り付ける場合（図４、図５、図８、図９）、前記目視部１４の罫線１４ａもしくは罫線１４ｂを壁材の接合線Ｓ１，Ｓ２に近づけて重ね合せ、前記接合線Ｓ１，Ｓ２の位置が前記罫線１４ａ，１４ｂの位置と一致しているか確認し、そして前記壁の角部Ｐ１,Ｐ２が前記壁装用コーナー材１０と位置合わせができているのか、前記定規部１２を通して前記壁の角部Ｐ１,Ｐ２を再確認する。そして、接着部材１３２で一方の取付部１１を壁材に取り付ける。その後、前記定規部１２の基準位置Ｃを中心として前記壁装用コーナー材１０を壁に沿うように折り曲げて、他方の取付部１１を接着部材１３２で壁材に取り付ける。
【００２９】
本実施の形態の壁装用コーナー材１０を使用すると、前記目視部１４から前記接合線Ｓ１，Ｓ２を確認しながら位置合わせを行い、また定規部１２を通して壁の角部Ｐ１,Ｐ２の位置を再確認することが可能であるため、簡単かつ正確に取り付けることが可能となる。
また、壁の角部の塗装やクロスが接触や衝突等によって剥がれた場合でも印が表面に露出することがない。
さらに壁装用コーナー材１０の目視部１４と定規部１２のみ透明性を有する素材で形成されているため、その他の箇所を紙等の素材で形成することで製造コストを削減することが可能となる。
【００３０】
（その他の例）
図１０は、本考案の第１の実施形態の壁装用コーナー材１０の定規部３２のその他の例である。
本考案の壁装用コーナー材１０の前記定規部１２は、正面（塗り壁材、パテもしくはクロスを取り付ける側の面）と背面（壁側に取り付ける面）の断面はともに基準位置が壁材Ｍから上方に突出したなだらかな円弧形状をなしていたが、前記定規部３２を正面（塗り壁材、パテもしくはクロスを取り付ける側の面）の断面は基準位置が壁材Ｍから上方に突出したなだらかな円弧形状をなし、背面（壁側に取り付ける面）の断面は直線形状としてもよい。
【００３１】
（第２の実施の形態）
第１の実施形態の壁装用コーナー材１０は、前記目視部１４に設けられた前記罫線１４ａ，１４ｂを利用して前記壁材の接合線Ｓ１，Ｓ２を合わせることにより位置合わせを行うものであったが、本考案の第２の実施形態の壁装用コーナー材２０は、壁材Ｍ同士の接合箇所である接合線Ｓ，Ｓ１，Ｓ２を利用して、前記接合線と前記目視部１４の端部を合わせることによって壁装用コーナー材を位置決めするものである。その他の構成は、第１の実施の形態と同様であり、同一部分に同一符号を付して重複する説明を省略する。
【００３２】
本実施の形態の目視部１４には、第１の実施形態の壁装用コーナー材１０で設けられていた罫線１４ａ，１４ｂは設けられていない。
本実施の形態の目視部１４は、前記壁装用コーナー材２０の基準位置Ｃ（図２）を０ｍｍとした場合に幅方向約９ｍｍの位置から約１３ｍｍの位置の間に幅約４ｍｍで設けられている。このように目視部１４の位置を設定すると、壁材の幅Ｄ１が９．５ｍｍの場合（図４）、前記壁装用コーナー材２０を壁材の角部Ｐ１に取り付けると壁材の接合線Ｓ１が前記目視部１４の一端周辺に目視部１４を通して目視することが可能となり、前記目視部１４から前記接合線Ｓ１を確認し、前記接合線Ｓ１と前記目視部１４の一端部とを近づけて平行にすることにより簡単に位置合わせすることが可能となる。また、壁材の幅Ｄ２が１２．５ｍｍの場合（図５）も同様に、前記壁装用コーナー材２０を壁材の角部Ｐ２に取り付けると壁材の接合線Ｓ２が前記目視部１４の他端周辺に目視部１４を通して目視することが可能となり、前記目視部１４から前記接合線Ｓ２を確認し、前記接合線Ｓ２と前記目視部１４の他端部とを近づけて平行にすることにより簡単に位置合わせすることが可能となる。
よって、壁材の基準の厚さである９．５ｍｍと１２．５ｍｍ両方において、位置合わせ可能な壁装用コーナー材を提供することが可能となる。
【００３３】
前記壁装用コーナー材２０を壁に取り付ける場合（図４、図５）、前記目視部１４の端部を壁材の接合線Ｓ１，Ｓ２に近づけて平行にし、前記接合線Ｓ１，Ｓ２が前記目視部１４の端部と平行になっているかどうか確認、位置合わせを行い、接着部材１３２で一方の取付部１１を壁材に取り付ける。その後、前記定規部１２の中心線Ｃを中心として前記壁装用コーナー材２０を壁に沿うように折り曲げて、他方の取付部１１を接着部材１３２で壁材に取り付ける。
【００３４】
本実施の形態の壁装用コーナー材２０を使用すると、前記目視部１４から前記接合線Ｓ１，Ｓ２を確認しながら位置合わせを行うことが可能であるため、簡単かつ正確に取り付けることが可能となる。
また、位置合わせのための罫線等の印を設ける必要がないため製造が簡単で、かつ壁の角部の塗装やクロスが接触や衝突等によって剥がれた場合でも印が表面に露出することがない。
さらに壁装用コーナー材２０の目視部１４と定規部１２のみ透明性を有する素材で形成されているため、その他の箇所を紙等の素材で形成することで製造コストを削減することが可能となる。
【符号の説明】
【００３５】
１０，２０                        壁装用コーナー材、
３ａ                              貫通穴、
１１                              取付部、
１２                              定規部、
１３ａ                            中心取付部、
１３ｂ                            端部取付部、
１４                              目視部、
１４ａ，１４ｂ                    罫線、
１３２                            接着部材、
Ｍ                                壁材、
Ｑ１，Ｑ２                        壁の縁面、
Ｐ１，Ｐ２                        壁の角部、
Ｓ，Ｓ１，Ｓ２                    接合線
【図１】
0003203923.tif 000003
【図２】
0003203923.tif 000004
【図３】
0003203923.tif 000005
【図４】
0003203923.tif 000006
【図５】
0003203923.tif 000007
【図６】
0003203923.tif 000008
【図７】
0003203923.tif 000009
【図８】
0003203923.tif 000010
【図９】
0003203923.tif 000011
【図１０】
0003203923.tif 000012
【手続補正書】
【提出日】平成28年2月22日(2016.2.22)
【手続補正１】
【補正対象書類名】実用新案登録請求の範囲
【補正対象項目名】全文
【補正方法】変更
【補正の内容】
【実用新案登録請求の範囲】
【請求項１】
壁材の縁面に添設される一対の取付部と、前記壁材の角部に取り付けられる定規部を備えた壁装用コーナー材において、前記一対の取付部の一方もしくは両方に設けられた透明性を有する目視部が設けられ、前記目視部は前記壁装用コーナー材を前記壁材の角部に取り付けた場合に前記壁材の接合箇所に対応する位置に所定の幅をもって設けられたことを特徴とする壁装用コーナー材。
【請求項２】
前記目視部には罫線が設けられ、前記罫線は前記定規部の前記角部に相当する位置を基準位置として０ｍｍとした場合に幅方向９．５ｍｍの位置または／および幅方向１２．５ｍｍの位置に設けられていることを特徴とする請求項１記載の壁装用コーナー材。
【請求項３】
前記目視部は、前記定規部の前記角部に相当する位置を基準位置として０ｍｍとした場合に幅方向約９ｍｍの位置から約１３ｍｍの位置の間隔の幅で設けられていることを特徴とする請求項１または２記載の壁装用コーナー材。
【請求項４】
前記目視部は、前記基準位置を０ｍｍとした場合に幅方向約９ｍｍの位置から約１３ｍｍの位置を跨いで設けられていることを特徴とする請求項２記載の壁装用コーナー材。
【請求項５】
前記定規部は透明性を有する部材で形成されていることを特徴とする請求項１から４のいずれか一項記載の壁装用コーナー材。
【請求項６】
前記定規部の材質は、前記目視部の材質よりも軟質な素材で形成されていることを特徴とする請求項１から５のいずれか一項記載の壁装用コーナー材。
【請求項７】
前記壁装用コーナー材は、前記壁装用コーナー材の取付面に備えられた接着剤層と、前記接着剤層に着脱自在に設けられた剥離紙を備え、前記剥離紙は、前記定規部の前記角部に相当する位置を基準位置として０ｍｍとした場合に幅方向９．５ｍｍの位置もしくは幅方向１２．５ｍｍｍの位置で２つに分割されていることを特徴とする請求項１から６のいずれか一項記載の壁装用コーナー材。